(57)【要約】【課題】光を利用した多種多様な加飾が得られるようにして、特徴的で固有の雰囲気を醸し出させる美的もしくは斬新で新奇な装飾効果を生じさせることができる収納ケースを提供する。【解決手段】ケース本体４を開閉する蓋体７に光源装置８を設けた収納ケース１において、光源装置８が、ＲＧＢ光源２３とＲＧＢ光源２３の発光をコントロールするコントローラが実装された電子基板２４とを備えるとともに、ケース本体４に、コントローラを制御する制御操作部としてのセンサ２６ａ，２６ｂを設けた。蓋体７に、光源装置８を覆って、光を透過させる透明もしくは半透明のカバー１８を設けた。蓋体７を、光を透過させる透明もしくは半透明に形成した。【選択図】          図２
2005008229.tif 000002
【特許請求の範囲】
【請求項１】
ケース本体を開閉する蓋体に光源装置を設けた収納ケースにおいて、上記光源装置が、光源と光源の発光をコントロールするコントローラとを備えるとともに、上記ケース本体および上記蓋体の少なくともいずれか一方に、上記コントローラを制御する制御操作部を設けたことを特徴とする収納ケース。
【請求項２】
前記蓋体には、前記光源装置を覆って、光を透過させる透明もしくは半透明のカバーが設けられていることを特徴とする請求項１に記載の収納ケース。
【請求項３】
前記蓋体が、光を透過させる透明もしくは半透明に形成されていることを特徴とする請求項１または２に記載の収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる収納ケースに関する。
【０００２】
【従来の技術】
一般に、各種の容器では、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたり、写真などのシート材を挿入する部分を備えるなどして、容器の表面に装飾を施すようにしていた（例えば、特許文献１〜８参照）。
【０００３】
他方、光源を備えた容器として、特許文献９に開示されたものが知られている。しかしながら、この「光源を有する携帯用容器」は、照明という観点のみに着目したものであって、光源によって容器にもたらすことが可能な多様な演出効果を有効かつ十分に利用することができていない。詳細には、光源と鏡との関係において、光源は鏡とは別の位置に設けられ、光源は顔などを照らし出すだけであり、また鏡は照らし出された顔を映し出すだけであって、それらの機能を個々に利用しているにすぎなかった。
【０００４】
なお、本願出願人は、関連する先行出願として、特願２００２−２２１１８９号、特願２００３−１１６２８９号、特願２００３−１３６６０５号、特願２００３−１３６６０６号、特願２００３−１３６６０７号、特願２００３−１３６６０８号、特願２００３−１３６６０９号を出願している。
【０００５】
【特許文献１】
特開昭５４−８３９６１号公報
【特許文献２】
実開昭５８−１７９０１２号公報
【特許文献３】
実開昭５８−１７９０１３号公報
【特許文献４】
実開昭５８−１７９０１４号公報
【特許文献５】
実開昭５９−１３１０号公報
【特許文献６】
実開昭５９−４５０１７号公報
【特許文献７】
特公平１−３７２４８号公報
【特許文献８】
特開平７−８８８９０号公報
【特許文献９】
特開平１１−１０２６０１号公報
【０００６】
【発明が解決しようとする課題】
上記従来の技術で得られる加飾はいずれも、既にありきたりなものであり、装飾を施すという技術面から見ると、限界があった。
【０００７】
ここに本発明者は、上述したようなこれまでの加飾技術では考えられていなかった、光源からの光を利用することに着目し、光によって加飾を行うことによって、収納ケースに、今まで見たことのない美的装飾効果を与え得るとの知見を得て、本発明を完成するに至ったものである。
【０００８】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる収納ケースを提供することを目的とする。
【０００９】
【課題を解決するための手段】
本発明にかかる収納ケースは、ケース本体を開閉する蓋体に光源装置を設けた収納ケースにおいて、上記光源装置が、光源と光源の発光をコントロールするコントローラとを備えるとともに、上記ケース本体および上記蓋体の少なくともいずれか一方に、上記コントローラを制御する制御操作部を設けたことを特徴とする。
【００１０】
制御操作部によって、光源の発光をコントロールするコントローラを制御するようにしていて、光源のＯＮ・ＯＦＦはもちろんのこと、光源の発光のさせ方を好みに応じて変更することが可能で、これにより視覚に訴える、光による多種多様な演出効果を、制御操作部を操作する使用者の選択に従って得ることができ、収納ケースに、特徴的で固有の雰囲気を醸し出させる美的もしくは斬新で新規な装飾を施すことが可能となる。
【００１１】
また、前記蓋体には、前記光源装置を覆って、光を透過させる透明もしくは半透明のカバーが設けられていることを特徴とする。これにより、光をカバーを通して発散させて、光の拡散や乱反射など、さまざまな視覚的効果を付加することが可能となる。
【００１２】
また、前記蓋体が、光を透過させる透明もしくは半透明に形成されていることを特徴とする。これにより、蓋体の外観にも、光による演出効果を利用した特徴的な雰囲気の装飾を施すことが可能となる。
【００１３】
【発明の実施の形態】
以下に、本発明にかかる収納ケースの好適な一実施形態を、添付図面を参照して詳細に説明する。本実施形態にかかる収納ケース１は図１〜図３に示すように、各種の収納物を収納する中皿２と、この中皿２を収納する収納凹所３が形成されたケース本体４と、ケース本体４の一端にヒンジ５を介して回動自在に連結されてケース本体４を開閉するとともに、ケース本体４の他端にフック手段６を介して係脱自在に係合されて当該ケース本体４を閉止状態に維持する蓋体７と、蓋体７の裏面に設けられた光源装置８とから主に構成される。
【００１４】
フック手段６は、ケース本体４に形成された切り欠き部９内にスライド自在に設けられたプッシュピース１０と、プッシュピース１０に形成されたフック用突起１１と、蓋体７に形成されてフック用突起１１に係脱自在に係合されるフック部１２とから構成され、プッシュピース１０がケース本体４内方へ押し込まれることにより、フック用突起１１がフック部１２から離脱されて、蓋体７を開くことができるようになっている。またヒンジ５は、フック手段６とは反対側においてケース本体４に形成されたヒンジ凹所１３に、蓋体７から垂下させたヒンジブロック１４が挿入され、ケース本体４からヒンジブロック１４にわたってヒンジピン１５が挿入されることで構成される。
【００１５】
図示例にあっては、収納ケース１として、中皿２内に、化粧料やパフが収納される携帯用の化粧料容器が例示されている。しかしながら、収納ケース１としては、このような化粧料容器に限らず、宝石や装身具など、いかなる収納物を収納するものであっても良いことはもちろんである。
【００１６】
蓋体７について説明すると、蓋体７の周縁部には、ケース本体４側へ向かって垂下させて外周壁１６が形成され、これにより蓋体７の裏面７ａには、外周壁１６で取り囲んで組み付け用の凹部１７が区画形成される。この組み付け用凹部１７には、これを覆って封鎖するカバー１８が図示しない係脱機構によって着脱自在に設けられる。そして、蓋体７の裏面７ａと向かい合うカバー１８の裏面１８ａには、当該カバー１８で覆って光源装置８が取り付けられる。
【００１７】
カバー１８は本実施形態にあっては、光源装置８からの光がこれを透過して外部に照射されるように、無色もしくは有色の、透明あるいは半透明の合成樹脂材によって形成される。カバー１８の素材はこの他、ガラスなどであってもよい。このカバー１８の表面１８ｂには、蓋体７の外周壁１６の内周寸法よりも小さな外形寸法で凹所１９が形成され、この凹所１９には、外周壁１６との間に隙間を隔てて鏡板２０が取り付けられる。従って、鏡板２０の周囲は、組み付け用凹部１７内に照射されてカバー１８を透過する光源装置８からの光によって照らし出されるようになっている。
【００１８】
さらに必要に応じて、蓋体７も、光源装置８からの光がこれを透過して外部に照射されるように、無色もしくは有色の、透明あるいは半透明の合成樹脂材によって形成してもよい。このようにすれば、蓋体７は、これを透過する照射光によって、その表面７ｂが照らし出される。また、鏡板２０の裏面にも必要に応じて、光源装置８からの光がカバー１８を介して鏡板２０の鏡面から照射されるように、銀メッキを部分的に除去した部分を形成するようにしても良い。
【００１９】
他方、カバー１８の裏面１８ａには、鏡板２０で隠蔽される位置に環状リブ２１が形成され、光源装置８はこの環状リブ２１で取り囲まれた窪み部２２に配置される。光源装置８は、蓋体７の裏面７ａに向けて配置されるＲＧＢ光源２３と、このＲＧＢ光源２３の各色の発光量をコントロールするコントローラを構成する電子部品が実装された電子基板２４と、これら電子基板２４およびこれを介してＲＧＢ光源２３に電力を供給するボタン型電池などのバッテリ２５とから構成される。ＲＧＢ光源２３は電子基板２４上に直接実装されている。
【００２０】
ＲＧＢ光源２３としては、ＬＥＤや有機エレクトロルミネセンス（ＥＬ）素子など、従来知られている各種のものを採用することができる。コントローラを構成する電子部品には、ＲＧＢ光源２３の発光をコントロールするプログラミングが書き込まれたＩＣチップ等の制御素子が含まれ、バッテリ２５から電力が供給されることにより、プログラミングに従ってＲＧＢ光源２３を発光させる。
【００２１】
ＲＧＢ光源２３の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源２３に限らず、単色光の光源であってもよいことはもちろんである。
【００２２】
他方、本実施形態にあっては、ケース本体４には、コントローラを制御する制御操作部として、感圧式のセンサ２６ａ，２６ｂが設けられる。図示例にあっては、センサ２６ａ，２６ｂは、ケース本体４に装着された中皿２の前縁部２ａに、プッシュピース１０を挟んで２箇所設けられる。これらセンサ２６ａ，２６ｂは、例えば一方が電源スイッチとして機能され、他方が発光状態を変化させる切換スイッチとして機能される。切換スイッチとして機能するセンサ２６ｂは、例えば押された回数に従ってコントローラを制御し、ＲＧＢ光源２３のいずれかを発光させて色替えをしたり、あるいは上述した各種の発光のさせ方を変更するようになっている。
【００２３】
これらセンサ２６ａ，２６ｂと光源装置８とは、リード線２７を介して接続される。リード線２７は、カバー１８に形成された孔２８、この孔２８に連通させてヒンジブロック１４に形成されたスリット２９、ヒンジブロック１４近傍のケース本体４の後端部に形成された通路３０を介して、蓋体７の組み付け用凹部１７からケース本体４と中皿２との間の隙間にわたって配線され、一端がバッテリ２５に他端がセンサ２６ａ，２６ｂに接続される。
【００２４】
図示例にあっては、センサ２６ａ，２６ｂを２つ設けたが、ＯＮ・ＯＦＦ操作兼用の単一のセンサを設けるようにしてもよい。また、センサ２６ａ，２６ｂに代えて、ボタン式のスイッチを用いるようにしてもよい。さらに、センサ２６ａ，２６ｂをケース本体４に設けたが、蓋体７に設けるようにしてもよい。
【００２５】
次に、上記構成を備える本実施形態の収納ケース１の作用について説明する。蓋体７を開いて、電源スイッチとして機能する一方のセンサ２６ａに触れると、バッテリ２５からＲＧＢ光源２３や電子基板２４に電力が供給される。次いで、切換スイッチとして機能する他方のセンサ２６ｂに触れると、コントローラが制御され、このセンサ２６ｂに触れた回数に応じてコントローラにより、ＲＧＢ光源２３は、制御素子に書き込まれたプログラミングに従って、明滅などしながら多種多様な色合いや明るさで発光する。
【００２６】
このＲＧＢ光源２３の光は、カバー１８を介して、開かれた蓋体７の裏面７ａ側をさまざまな態様で照らし出す。また、ＲＧＢ光源２３からの照射光は、蓋体７を透過してその表面７ｂを照らし出す。他方、一方のセンサ２６ａに再度触れることにより、ＲＧＢ光源２３は消灯される。
【００２７】
このように以上説明した本実施形態にかかる収納ケース１にあっては、制御操作部であるセンサ２６ａ，２６ｂによって、ＲＧＢ光源２３の発光をコントロールするコントローラを制御するようにしたので、ＲＧＢ光源２３のＯＮ・ＯＦＦはもちろんのこと、ＲＧＢ光源２３の発光のさせ方を好みに応じて変更することができ、これにより視覚に訴える、光による多種多様な演出効果を、センサ２６ａ，２６ｂを操作する使用者の選択に従って自在に得ることができ、収納ケース１に、特徴的で固有の雰囲気を醸し出させる美的もしくは斬新で新規な装飾を施すことができる。
【００２８】
すなわち、センサ２６ａ，２６ｂでコントローラを制御することで、ＲＧＢ光源２３の照射光による多種多様な視覚的効果を切り換えることができ、同じ製品であっても、光の作用によって醸し出される表情を使用者の好みに応じて変えることができる。
【００２９】
また、蓋体７に光源装置８を覆って、光を透過させる透明もしくは半透明のカバー１８を設けたので、光をカバー１８を通して発散させて、光の拡散や乱反射など、さまざまな視覚的効果を付加することができる。
【００３０】
また、蓋体７を、光を透過させる透明もしくは半透明に形成したので、蓋体７の外観にも、光による演出効果を利用した特徴的な雰囲気の装飾を施すことができる。
【００３１】
【発明の効果】
以上要するに、本発明にかかる収納ケースにあっては、光を利用した多種多様な加飾を得ることができ、特徴的で固有の雰囲気を醸し出させる美的もしくは斬新で新奇な装飾効果を生じさせることができる。
【図面の簡単な説明】
【図１】本発明にかかる収納ケースの好適な一実施形態を示す、蓋体を開いた状態の斜視図である。
【図２】図１の収納ケースの側断面図である。
【図３】図１の収納ケースの蓋体を開いたときの、ヒンジ部分の拡大側断面図である。
【符号の説明】
１  収納ケース
４  ケース本体
７  蓋体
８  光源装置
１８  カバー
２３  ＲＧＢ光源
２４  電子基板
２５  バッテリ
２６ａ，２６ｂ  センサ
【図１】
2005008229.tif 000003
【図２】
2005008229.tif 000004
【図３】
2005008229.tif 000005